(57)【要約】      （修正有）【課題】三脚、杖等の外管に内管を挿入して、長さを調節して固定することができる伸縮自在管の固定装置を提供する。【解決手段】外管１７に着設する押圧部材２１が出没自在な開口部２３を有するソケット部１９と、該ソケット部１９に回動自在に軸着された操作レバー２０と、該操作レバー２０の回動により前記開口部２３より前記押圧部材２１が突出して内管１８（図示せず）を押圧固定する伸縮自在管の固定装置１００であって、前記押圧部材２１の操作レバー２０の偏心カム２２に当接する係止部２１ａは太く、開口部２３より突出する押圧部２１ｂが細くなっていることを特徴とする伸縮自在管の固定装置である。【選択図】図５
2010127290.tif 000002
【特許請求の範囲】
【請求項１】
外管に着設する押圧部材が出没自在な開口部を有するソケット部と、該ソケット部に回動自在に軸着された操作レバーと、該操作レバーの回動により前記開口部より押圧部材が突出して内管を固定する伸縮自在管の固定装置であって、前記押圧部材の操作レバーの偏心カムに当接する係止部は太く、前記開口部より突出する押圧部が細くなっていることを特徴とする伸縮自在管の固定装置。
【請求項２】
ソケット部の押圧部材の形状は、押圧部材の偏心カムに当接する係止部が、ソケット部の開口部から突出して内管を押圧する押圧部よりも大きい台形形状を有し、押圧部材がソケット部の開口部より脱落しない形状であることを特徴とする請求項１に記載の 伸縮自在管の固定装置。
【請求項３】
操作レバーの偏心カムに当接する係止部と、ソケット部の開口部から突出して内管に当接して押圧する押圧部に滑り止めの溝が刻装されていることを特徴とする請求項１または請求項２に記載の伸縮自在管の固定装置。
【請求項４】
外管に着設する押圧部材が出没自在な開口部を有するソケット部と、該ソケット部に回動自在に軸着された操作レバーと、該操作レバーの回動により前記開口部より押圧部材が突出して内管を固定する伸縮自在管の固定装置であって、前記ソケット部の前記操作レバーと該操作レバーで突出する押圧部材に接触しない位置に内管に穿設された孔に嵌入するピンと該ピンを操作するピン操作レバーが着設されていることを特徴とする請求項１から３のいずれかに記載の伸縮自在管の固定装置。
【請求項５】
ピン操作レバーがソケット部の上部に着設されていることを特徴とする請求項４に記載の伸縮自在管の固定装置。
【発明の詳細な説明】
【技術分野】
【０００１】
車椅子のアームレストのフレームにテーブル等の台を着設するための外管や、杖、三脚等の脚部の外管に着設して、外管に挿入した内管を摺動させてフレームや脚部等の長さを調節して固定するための伸縮自在管の固定装置に関する。
【背景技術】
【０００２】
車椅子の座乗者が軽い食事をしたり、書き物をする場合にテーブル等のように、食器や書物を置くための台が望まれている。しかし、取り外し可能なものとしてノブボルトを使用するものはあったが、ノブを何度も回して取り外さねばならず手間が掛かり、また、ノブボルトを紛失することもあった。そのために杖、三脚等の伸縮管を固定するための取り扱いの容易な固定装置が種々考案されている。
【０００３】
特許文献１は、段落[０００５]に「本考案の主要目的は、改良された三脚の脚管固定のための構造を提供するもので、その中押し付けエレメントは二つの圧迫体により構成され、その間を一つの連接帯で連接する、その両圧迫体の前端斜面はそれぞれ内脚管両側面に押し付けるようにし、而して外脚管とは内脚管に対する三点式圧迫作用を形成して、三つの力の作用点をして一つの作用面上に位置させ、而して確実なロック及び押し付けエレメントが容易に摩損破壊しない功能をもたせることのできる三脚の脚管固定のための構造を提供することにある。」と開示されている。
【０００４】
特許文献１の構造は、段落[０００８]「本考案による三脚の脚管固定構造は、外脚管、内脚管、パッキング、固定装置、押し付けエレメント及び凸ホイル引き金を含む。内脚管は外脚管の内にはめ設けられ、その間にパッキングを設けられており、外脚管外に固定装置を設け、固定装置は割りピンで凸ホイル引き金を外脚管の一辺に枢設している。押し付けエレメントは二つの圧迫体で構成される。二つの圧迫体の間は連接帯で連接し、両圧迫体の後端はそれぞれ凸ホイル引き金上に設けた両凸ポイントで押し付けることができる。両圧迫体前端の斜面は、それぞれ内脚管の両側面に押し付けることができる。両圧迫体の外側面は固定装置の内壁にみっしり寄り沿うことができるように構成されている。」構造が開示されている。
【０００５】
特許文献２の三脚の伸縮支脚固定装置は、第２頁第３欄第７行目より、「本考案は、基台１に３本の支脚７の上端部を垂直方向回動可能に軸着した三脚において、上記支脚７は、少なくとも一辺が短辺部２３である多角形状の断面を有する少なくとも２本の相似形の管体９を伸縮可能に嵌合して成り、相対的な関係において外側に位置した管体９の端部にその内側に位置した管体９を固定する固定装置１０を有し、この固定装置１０は、上記外側に位置した管体９の短辺部２３に設けた開口部３９の外側に偏心カム４７を水平方向回動可能に軸支するとともに、この偏心カム４７によって上記内側に位置した管体９の短辺部２３に圧接される押圧体４２を上記開口部３９に偏心カム４７の回動方向に移動可能に遊嵌したものである。」構造が開示されている。
【０００６】
特許文献３の段落[０００７]には、「本発明は上記課題を解決するために提案されたものであって、本発明の第１の形態は、大径パイプと前記大径パイプに挿入される小径パイプとを有し、前記大径パイプに対して前記小径パイプが伸縮自在に挿入されており、前記小径パイプが所要長さ挿入された際に、前記大径パイプに対して前記小径パイプが移動不能にロックされるようにした伸縮自在管において、前記小径パイプが前記大径パイプに対して所要長さ挿入された際に、外部に突出されたレバーを一方向及び逆方向いずれかの方向に回動させても前記小径パイプを大径パイプに対して移動不能にロックする両方向ロック手段を備えている伸縮自在管である。」と記載の伸縮自在管が開示されている。
【０００７】
上記のように伸縮自在管を固定する固定装置は、いずれも三脚等を想定して考案されたものである。従って、三脚等に使用する伸縮自在管の固定装置は管を引き抜くことがないので、管を引き抜くと外管と内管を固定している押圧部材が抜け落ちる欠点があり、他の用途に使用することができなかった。
【特許文献１】実開平５−９４５９９号公報
【特許文献２】実公平５−２０９５９号公報
【特許文献３】特開２００７−２２５０５４号公報
【発明の開示】
【発明が解決しようとする課題】
【０００８】
本発明は、三脚、杖等の様々な外管と内管を固定することができるのみならず、車椅子のアームレスト部に固定装置を装着した外管を取着して、内管を取着したテーブル等を前記車椅子のアームレスト部の外管に挿入して、車椅子にテーブル等を着設することができる伸縮自在管の固定装置を提供するものである。
【課題を解決するための手段】
【０００９】
従来の三脚等の伸縮自在管の固定装置は、図６に示すように、外管に取着された伸縮自在管の固定装置の押圧部材２１が内管１８を押圧して所定の位置で固定しているが、この小さな押圧部材２１は外管１７から内管１８を引き抜いたときに固定装置の開口部２３から脱落して、紛失して伸縮自在管が使用できなくなる等の問題があった。
【００１０】
本発明は上記課題を解決するために、外管から内管を引き抜いたときに固定装置から押圧部材が脱落しない構造とすることによって、車椅子のアームレスト等に固定装置を着設したフレーム（外管）を取着して、前記フレームに挿入する内管にテーブルや書見台を着設して、取り外し可能なテーブルや書見台等に使用することが可能となった。
【００１１】
本発明の特徴は、外管に着設する押圧部材が出没自在な開口部を有するソケット部と、該ソケット部に回動自在に軸着された操作レバーと、該操作レバーの回動により前記開口部より前記押圧部材が突出して内管を押圧固定する伸縮自在管の固定装置であって、前記押圧部材の操作レバーの偏心カムに当接する係止部は太く、開口部より突出する押圧部が細くなっていることを特徴とする伸縮自在管の固定装置である。
【００１２】
押圧部材の構造を偏心カムに接触する係止部を太くして、開口部より突出する押圧部を細くすることによって、開口部から押圧部材が抜け落ちることがなく、車椅子に着脱自在のテーブル等を提供することできるようになった。
【００１３】
本発明の別の特徴は、ソケット部の押圧部材の形状は、押圧部材の偏心カムに当接する係止部が、ソケット部の開口部から突出して内管を押圧する押圧部よりも大きい台形形状を有し、押圧部材がソケット部の開口部より脱落しない形状であることを特徴とする伸縮自在管の固定装置である。
【００１４】
本発明の別の特徴は、操作レバーの偏心カムに当接する係止部と、ソケット部の開口部から突出して内管に当接して押圧する押圧部に滑り止めの溝が刻装されていることを特徴とする伸縮自在管の固定装置である。ソケット部の開口部から突出する押圧部材の内管に当接して、内管を押圧固定する押圧部に滑り止めの溝を刻装することによって、押圧部材による内管を押圧固定する力をより確実にすることができる。
【００１５】
本発明の別の特徴は、外管に着設する押圧部材が出没自在な開口部を有するソケット部と、該ソケット部に回動自在に軸着された操作レバーと、該操作レバーの回動により前記開口部より押圧部材が突出して内管を固定する伸縮自在管の固定装置であって、前記ソケット部の前記操作レバーと該操作レバーで突出する押圧部材に接触しない位置に内管に穿設された孔に嵌入するピンと該ピンを操作するピン操作レバーが着設されていることを特徴とする請求項１から３のいずれかに記載の伸縮自在管の固定装置である。押圧部材とピンの２箇所で内管を固定する固定装置である。
【００１６】
本発明の別の特徴は、ピン操作レバーがソケット部の上部に着設されていることを特徴とする伸縮自在管の固定装置である。
【発明の効果】
【００１７】
固定装置の内管を押圧して固定する押圧部材のソケット部の開口部から出没する部分を細くして、操作レバーの偏心カムに接触する部分を太くすることによって、外管から内管を引き抜いても押圧部材が抜け落ちない構造となり、押圧部材を紛失することが無くなった。
【００１８】
押圧部材の内管に当接して内管を押圧固定する部分を長手方向に少なくとも２０ｍｍの長さにすることによって、内管を強力に押圧固定することができる。
【００１９】
さらに、内管を押圧固定する押圧部材の内管に接触する面に溝を刻装することによって、強力に押圧固定できると共に、滑りにも強い伸縮自在管の固定装置を提供することができる。
【００２０】
ソケット部の操作レバーと該操作レバーで突出する押圧部材に接触しない位置に内管に穿設された孔に嵌入するピンと該ピンを操作するピン操作レバーを着設して、内管を２箇所で強固に固定することができる。
【発明を実施するための最良の形態】
【００２１】
車椅子に着設した例を上げて本発明の固定装置について以下に説明するが、本発明の固定装置は、様々な電気スタンド等や点滴用スタンド等、引き延ばしたり、縮めたりする電化製品、医療機器、家庭用品、介護用品等に着設することが可能であり、以下の実施例に限定されるものではない。
【００２２】
図１は、車椅子１０のアームレスト１４のフレームに第１の固定装置１００を着設した外管１７を取着して、この外管１７にテーブル１６を装着した内管１８を挿入して第１の固定装置１００で固定する。車椅子１０にテーブル１６を着設することによって、軽食を取るためのテーブルあるいは書見台とすることができる。本発明の第１の固定装置１００は、車椅子に限らず、通常の椅子に着設したり、子供用の椅子に着設することもできる。
【００２３】
図２は、椅子１０から（図２−１）、車アームレスト１４のフレームに第１の固定装置１００を着設した軽食ができるテーブル１６、あるいは書見台を取り外した状態を示す（図２−２）。テーブル１６の下にはＬ字状の内管１８が着設されており、この内管１８を車椅子のアームレストの下に着設された外管１７に挿入して、第１の固定装置１００で任意の位置で着設する。テーブル１６の一方側は脚部１８により支持され、他方側はアームレスト１４のフレーム上１４ａで支持される。不要の場合は車輪１２の方に開いて置くこともできる。
【００２４】
図３の（３−１）は、外管１７に第１の固定装置１００を着設して、内管１８を挿入した状態を示している。図３の（３−２）は、第１の固定装置１００の操作レバー２０を解放状体として、内管１８が摺動可能な状態になることを示している。
【００２５】
図４の（４−１）は、第１の固定装置１００を外管に着設するソケット部１９の操作レバー２０を閉じた状態を示している。操作レバー２０を閉じた状態では、操作レバー２０の基部に設けられた偏心カム２２により、押圧部材２１が内管１８を押圧して固定する。図４の（４−２）に示すように、操作レバー２０を起こすと押圧部材２１は偏心カム２２から解放されて、内管１８を押圧しなくなり、内管１８をフリーの状態にする。
【００２６】
図５は、第１の固定装置１００のソケット部１９を分解した状態を示す。第１の固定装置１００は外管１７に取着するソケット部１９と、操作レバー２０とこれを回動自在に上下で止めるネジ２４、２４と、操作レバー２０の偏心カム２２により開口部２３から突出して内管１８（図示せず）を押圧する押圧部材２１からなっている。前記操作レバー２０とこれを回動自在に上下で止めるネジ２４、２４は、ネジに限定されずリベット等で回動自在に軸着することもできる。
【００２７】
ソケット部１９の押圧部材２１の偏心カム２２に当接する係止部２１ａと開口部より突出する押圧部２１ｂの大きさは、例えば、偏心カム２２に当接する係止部２１ａを長手方向に２０〜２６ｍｍ、短手方向に少なくとも５〜９ｍｍの幅と、開口部２３から突出する押圧部２１ｂの長さを長手方向に１７〜２３ｍｍで、短手方向に２〜４ｍｍの幅を有する台形の形状を例示することができる。押圧部材２１の偏心カム２２に当接する係止部２１ａと開口部より突出する押圧部２１ｂの大きさは、前記の寸法に限定されるものではなく、係止部２１ａを押圧部２１ｂよりも大きくして、押圧部材２１がソケット部１９の開口部２３より脱落しない大きさであればよい。
【００２８】
図６に示すように、押圧部材２１の内管１８壁に当接して内管１８を押圧固定する押圧部２１ｂは長手方向に少なくとも２０ｍｍの長さにすることによって、内管１８を強力に押圧固定することができる。さらに、内管１８を押圧固定する押圧部材２１の内管１８に接触する面に溝を刻装することによって、強力に押圧固定できると共に、滑りにも強い伸縮自在管の固定装置を提供することができる。前記押圧部材２１の大きさは特に限定されるものではないが、固定装置１００を着設する機材（椅子や車椅子等）の種類や大きさによって適宜変更することができる。
【００２９】
図７に示すように本発明の第２の固定装置２００は、外管１７に着設する押圧部材２１が出没自在な開口部を有するソケット部１９と、該ソケット部１９に回動自在に軸着された操作レバー２５と、該操作レバー２５の回動により前記開口部より押圧部材２１が突出して内管１８を固定する伸縮自在管の第１の固定装置１００に、さらに、前記ソケット部１９の前記操作レバー２０と該操作レバー２０で突出する押圧部材２１に接触しない位置に内管１８に穿設された孔に嵌入するピン２６と該ピン２６を操作するピン操作レバー２５が着設されている伸縮自在管の第２の固定装置２００である。
【００３０】
図８は本発明の第２の固定装置２００を車椅子のフットレスト１５に着設した例を示す。車椅子の前部フレーム２８に第２の固定装置２００を着設して、フットレストフレーム２７に孔２７ａ、２７ａを複数個穿設する。ピン操作レバー２５はソケット部１９の上部に着設して上から前部フレーム２８側に押すと、フットレストフレーム２７の孔２７ａからピンが抜ける。
【００３１】
図９は、第２の固定装置２００を着設したフットレスト１５の裏側からの図である。フットレスト１５を上下させる時は、図に示すように、操作レバー２０を開き、ピン操作レバー２５をフレーム方向に押すとフットレスト１５を上下させることができる。ピンが嵌入する任意の位置で、ピン操作レバー２５を離すと、ピンが嵌入して、固定される。さらに、操作レバー２０を矢印（フレーム２８）方向に閉じて、フットレスト１５をピン２６と押圧部材２１の２箇所で強固に固定する。
【００３２】
本発明の第２の固定装置２００は、外管に装着した押圧部材２１とピン２６で内管を２箇所で挟むようにして固定することにより、大きな負荷が掛かってもがたつきがなく、内管と外管を強固に固定することができる。
【００３３】
内管と外管の形状は丸管に限定されず、美観、取着箇所の使用態様等によって、内管と外管の着設する箇所により四角形、六角形、八角形等、内管と外管の形状は様々な異形管を使用することができる。
【図面の簡単な説明】
【００３４】
【図１】第１の固定装置を着設した車椅子にテーブルを装着した斜視図である。
【図２】車椅子とアームレストの下に着設するテーブルの斜視図である。
【図３】内管と第１の固定装置を着設した外管の斜視図である。
【図４】第１の固定装置のソケット部の切断面図である。
【図５】第１の固定装置のソケット部の分解斜視図である。
【図６】従来の固定装置のソケット部の切断面図である。
【図７】第２の固定装置のソケット部の上部からの斜視図である。
【図８】第２の固定装置のソケット部をフットレストに着設した斜視図である。
【図９】第２の固定装置のソケット部をフットレストに着設した背面からの斜視図である。
【符号の説明】
【００３５】
１００：第１の固定装置
２００：第２の固定装置
１０：車椅子
１１：把持部
１２：主車輪
１３：前輪
１４：アームレスト
１５：フットレスト
１６：テーブル（書見台）
１７：外管
１８：内管
１９：ソケット部
２０：操作レバー
２１：押圧部材
２２：偏心カム
２３：開口部
２４：ネジ
２５：ピン操作レバー
２６：ピン
２７：フットレストフレーム
２８：前部フレーム
【図１】
2010127290.tif 000003
【図２】
2010127290.tif 000004
【図３】
2010127290.tif 000005
【図４】
2010127290.tif 000006
【図５】
2010127290.tif 000007
【図６】
2010127290.tif 000008
【図７】
2010127290.tif 000009
【図８】
2010127290.tif 000010
【図９】
2010127290.tif 000011
【手続補正書】
【提出日】平成20年11月28日(2008.11.28)
【手続補正１】
【補正対象書類名】明細書
【補正対象項目名】００２７
【補正方法】変更
【補正の内容】
【００２７】
ソケット部１９の押圧部材２１の偏心カム２２に当接する係止部２１ａと開口部より突出する押圧部２１ｂの大きさは、例えば、偏心カム２２に当接する係止部２１ａを長手方向に２０〜２６ｍｍ、短手方向に少なくとも５〜９ｍｍの幅と、開口部２３から突出する押圧部２１ｂの長さを長手方向に１７〜２３ｍｍで、短手方向に２〜４ｍｍの幅を有する台形の形状を例示することができる。押圧部材２１の偏心カム２２に当接する係止部２１ａと開口部より突出する押圧部２１ｂの大きさは、前記の寸法に限定されるものではなく、係止部２１ａを押圧部２１ｂよりも大きくして、押圧部材２１がソケット部１９の開口部２３より脱落しない大きさであればよい。
押圧部材２１の内管１８壁に当接して内管１８を押圧固定する押圧部２１ｂは長手方向に少なくとも２０ｍｍの長さにすることによって、内管１８を強力に押圧固定することができる。さらに、内管１８を押圧固定する押圧部材２１の内管１８に接触する面に溝を刻装することによって、強力に押圧固定できると共に、滑りにも強い伸縮自在管の固定装置を提供することができる。前記押圧部材２１の大きさは特に限定されるものではないが、固定装置１００を着設する機材（椅子や車椅子等）の種類や大きさによって適宜変更することができる。
【手続補正２】
【補正対象書類名】明細書
【補正対象項目名】００２８
【補正方法】変更
【補正の内容】
【００２８】
図６は従来の伸縮自在管の固定装置を示す。外管１７に取着された伸縮自在管の固定装置の押圧部材２１が内管１８を押圧して所定の位置で固定している。押圧部材２１の形状は長方形で内管を引き抜くと押圧部材２１は開口部２３から脱落する。